(57)【要約】【課題】  ヘッダーカードと紙葉類を２枚取りした場合であってもヘッダーカードを認識しバッチ処理可能な紙葉類処理装置を提供する。【解決手段】  紙葉類の標準厚さＴｓに対してヘッダーカードの標準厚さＨｓを１．５Ｔｓに設定し、各バッチの区切りにヘッダーカードを挿入し、例えばバッチＰ１及びバッチＰ２を形成し、供給部１０に供給し取出しを開始する。バッチＰ１の紙葉類Ｐから順番に取り出され、紙葉類Ｐ１ｎとヘッダーカードＨ１が２枚取りされた場合、ヘッダーカード検知装置８ではヘッダーカードＨ１が検知されず、紙葉類判別装置１９によって判別される。その判別の結果、当該２枚取りされた紙葉類は、表面が紙葉類であり、裏面がヘッダーカードであるため、券種判別、真偽判別で判別不能券になる。しかしながら厚さ検知によって所定の範囲の厚さが上述した分類Ｄに区分されるため、ヘッダーカードと判別される。【選択図】  図１
2007226592.tif 000002
【特許請求の範囲】
【請求項１】
処理単位毎にカードで区分した紙葉類を一括して供給した供給部から取出手段によって
１枚ずつ取り出して搬送し、前記カード及び前記紙葉類を区分処理する紙葉類処理装置で
あって、
前記処理単位毎に区分された前記紙葉類の後端に挿入され、当該処理単位を識別する識別
符号が付与されたカードと、
このカードを検知するカード検知手段と、
前記紙葉類又は前記カードからなる媒体を判別する判別手段と、
前記識別符号を読み取る読取手段と、
搬送される前記媒体の厚さを検知し、その検知結果に基づいて前記紙葉類が１枚の厚さで
ある第１分類、前記カードが１枚の厚さである第２分類、前記紙葉類が２枚の厚さである
第３分類及び前記紙葉類と前記カードがそれぞれ１枚である第４分類の何れであるかを検
知する厚さ検知手段と、
前記カード検知手段、前記判別手段、前記読取手段及び前記厚さ検知手段からの検知結果
に基づいて前記カードであることを判別する制御手段と、
を備えたことを特徴とする紙葉類処理装置。
【請求項２】
前記カードは、
前記紙葉類の厚さの１．５倍の厚さを有することを特徴とする請求項１記載の紙葉類処理
装置。
【請求項３】
前記制御手段は、
前記取出手段によって取り出された媒体が前記厚さ検知手段による検知の結果前記第４分
類であるとき、前記カード検知手段又は前記判別手段による判別結果に関わらず前記処理
単位毎に区分された前記紙葉類の後端に挿入されたカードが検知されたものと判別するこ
とを特徴とする請求項１記載の紙葉類処理装置。
【請求項４】
前記カード検知手段は前記カード表面の色が前記紙葉類と異なることを検知する光学検
知手段を備え、
前記判別手段は、媒体表面の色又は模様又はその組み合わせ及び形状を検知する券種判
別手段を備えた、
ことを特徴とする請求項１又は請求項３記載の紙葉類処理装置。
【発明の詳細な説明】
【技術分野】
【０００１】
本発明は、有価証券などの紙葉類を、ヘッダーカードを用いて区分して判別処理するバ
ッチ処理可能な紙葉類処理装置に関し、ヘッダーカードと紙葉類が共に取り出された場合
のヘッダーカードの検知が可能な紙葉類処理装置に関する。
【背景技術】
【０００２】
有価証券などの紙葉類を処理する紙葉類処理装置は、一括して投入された紙葉類を一定
間隔に１枚ずつ取り出して搬送し、紙葉類判別装置によって当該紙葉類の種類（以下、券
種と称する。）判別、搬送方向判別、真偽判別（真券か偽券か）及び正損判別（再流通可
能な正券か再流通不可能な損券か）を行い、この判別結果に基づいて紙葉類を区分し、施
封装置又は集積装置などの処理装置に振り分けて処理する装置である。
【０００３】
この際、バッチ処理可能な紙葉類処理装置では、小口のバッチ処理を行う場合、バッチ
処理の単位毎に紙葉類の最後にヘッダーカードを挿入して区分して処理するヘッダーカー
ド処理と称される方法が知られている。なお、紙葉類の最初にダミーカードを用い、その
後に処理する紙葉類を挿入し、最後にヘッダーカードを挿入して区分する方法もあるが、
基本的には同様の方法である。
【０００４】
ヘッダーカードは処理する紙葉類と異なるため、後述する排除券扱いとなり、排除券集
積部に集積される。その際、ヘッダーカードの間に挟まれて集積された紙葉類が当該バッ
チ処理で排除された紙葉類であることが分かるようになっている。そのため、このヘッダ
ーカードにはバーコードなどの識別符号が印刷されている。
【０００５】
このヘッダーカード処理では、処理ステップを３段階（前処理、装置処理、排除券処理
）に分けて行われている。
【０００６】
第１段階は前処理段階で、紙葉類を紙葉類処理装置で処理する前の段階である。操作員
が紙葉類を受け入れてヘッダーカードを発行し、処理ボックスにヘッダーカード、紙葉類
、ヘッダーカード、紙葉類・・・の順番にセットするフェーズである。ヘッダーカードは
、一方の紙葉類の集合と、他方の紙葉類の集合とを区分するためのもので、このヘッダー
カード及び紙葉類の組み合わせで１バッチとなる。従って、処理ボックスの中には、複数
のバッチが存在することになる。
【０００７】
第２段階は装置処理の段階で、操作員によってセットされた処理ボックス内の紙葉類及
びヘッダーカード（以下、紙葉類及びヘッダーカードをまとめて媒体と称する。）を紙葉
類処理装置で区分処理するフェーズである。操作員が処理ボックス内の媒体を紙葉類処理
装置の取込部にセットし、計数開始指令を発行すると、紙葉類処理装置は、セットされた
紙葉類を一定間隔に１枚ずつ取り出して搬送し、紙葉類判別装置によって紙葉類の種類や
ヘッダーカードの検出を行う。
【０００８】
上記取込部には、ヘッダーカードを検出するための検出手段が設けられており、この検
出手段によって、ヘッダーカードが検出された場合、取り込み処理を一時停止する手段が
設けられている。
【０００９】
第３段階は排除券処理の段階で、操作員が排除券を処理する段階である。操作員は、紙
葉類処理装置から排除された紙葉類を、ヘッダーカードに印字されている識別番号をキー
にしてキー入力するフェーズである。一方ヘッダーカード及び紙葉類が同時に取り出され
た場合にはヘッダーカードによる識別が困難であるため、ヘッダーカードの両面にバーコ
ードを付与する方法が知られている（例えば、特許文献１参照。）。
【特許文献１】特許第２７９８９７９号公報  （第３頁、図２）
【発明の開示】
【発明が解決しようとする課題】
【００１０】
しかしながら、特許文献１記載の紙葉類処理装置では、ヘッダーカードの両面のバーコ
ードが認識できた場合にヘッダーカードとして認識するが片面しか認識できなかった場合
には重ね取りが発生したものとみなし紙葉類処理装置を停止していた。すなわち、ヘッダ
ーカードが正しく認識できず、ヘッダーカードを境界とした前後バッチの計数分離が正し
く行われないことがあるという課題があった。
【００１１】
本発明は、上記問題を解決するためになされたもので、ヘッダーカードと紙葉類を２枚
取りした場合であってもヘッダーカードを正しく認識し、バッチ処理が可能な紙葉類処理
装置を提供することを目的とする。
【課題を解決するための手段】
【００１２】
上記目的を達成するために、本発明の請求項１記載の紙葉類処理装置は、処理単位毎に
カードで区分した紙葉類を一括して供給した供給部から取出手段によって１枚ずつ取り出
して搬送し、前記カード及び前記紙葉類を区分処理する紙葉類処理装置であって、前記処
理単位毎に区分された前記紙葉類の後端に挿入され、当該処理単位を識別する識別符号が
付与されたカードと、このカードを検知するカード検知手段と、前記紙葉類又は前記カー
ドからなる媒体を判別する判別手段と、前記識別符号を読み取る読取手段と、搬送される
前記媒体の厚さを検知し、その検知結果に基づいて前記紙葉類が１枚の厚さである第１分
類、前記カードが１枚の厚さである第２分類、前記紙葉類が２枚の厚さである第３分類及
び前記紙葉類と前記カードがそれぞれ１枚である第４分類の何れであるかを検知する厚さ
検知手段と、前記カード検知手段、前記判別手段、前記読取手段及び前記厚さ検知手段か
らの検知結果に基づいて前記カードであることを判別する制御手段と、を備えたことを特
徴とする。
【発明の効果】
【００１３】
本発明によれば、ヘッダーカードと紙葉類を２枚取りした場合であってもヘッダーカー
ドを正しく認識できるため、バッチ処理が可能になる。
【発明を実施するための最良の形態】
【００１４】
以下、図面を参照して本発明の実施例を説明する。
【実施例】
【００１５】
図１は、本発明の実施例によるヘッダーカードによるバッチ処理可能な紙葉類処理装置
１１０を備えた紙葉類処理システム図である。この紙葉類処理システムには、紙葉類処理
装置１１０、上位システムＤＢ（データベース）１００、前処理用情報登録ＰＣ（パーソ
ナル・コンピュータ）１２０、及び排除券入力用情報登録ＰＣ１３０が設けられている。
【００１６】
前処理用情報登録ＰＣ１２０には、ハンドスキャナ１２１が接続されており、ヘッダー
カードの登録処理が行われる。ヘッダーカードの登録処理とは、ヘッダーカードに印刷さ
れているバーコードをハンドスキャナ１２１で読み取り、その読み取りデータを上位シス
テムＤＢ１００に送信することである。このようにして登録されたヘッダーカード、紙葉
類、を処理ボックス（図示しない）にセットする。このようにして、処理ボックスにセッ
トされた１バッチの紙葉類群は、紙葉類処理装置１１０に供給される。
【００１７】
紙葉類処理装置１１０は、操作部５５０及び紙葉類処理部１で構成され、上位システム
ＤＢ１００に通信回線を経て接続されている。  
操作部５５０は、紙葉類処理部１で行う業務内容の指示、この指示された業務内容に基
づく取引内容の指定、及び紙葉類処理部１での取引結果を入手し、その入手結果を上位シ
ステムＤＢ１００に送信する。すなわち、紙葉類処理部１で読み取ったヘッダーカード番
号及び処理した計数金額を送信する。
【００１８】
紙葉類処理部１は、操作部５５０に接続され、操作部５５０からの取引指示に基づいて
、上記処理ボックスにセットされた紙葉類が供給される。上記紙葉類処理部１によって紙
葉類が１枚ずつ判別され、その判別結果に基づいて区分処理される。この紙葉類処理中に
排除券が発生した場合、発生した排除券は、リジェクト集積部に、排除券（リジェクト券
）、ヘッダーカードの順番に集積される。
【００１９】
排除券入力用登録ＰＣ１３０には、ハンドスキャナ１３１が接続されており、操作員に
よって上記リジェクト集積部に集積された排除券（リジェクト券）の入力処理が行われる
。排除券は、ヘッダーカードに挟まれてリジェクト集積部に集積されている。操作員は、
当該ヘッダーカードに印字されているバーコードをハンドスキャナ１３１で読み取る。読
み取った結果は排除券入力用登録ＰＣ１３０の操作表示部１３２に表示される。また、排
除券の供給元を示すアカウント番号、排除券の券種及び枚数からなる金額が排除券入力用
登録ＰＣ１３０の操作表示部１３２又は入力部１３３から入力される。これら入力された
データは、上位システムＤＢ１００に送信される。
【００２０】
図２は、図１に示す紙葉類処理装置１１０の概略構成図である。紙葉類処理装置１１０
は、紙葉類処理部１及び操作部５５０で構成されている。
【００２１】
操作部５５０に接続された操作表示部５５２から操作員の操作によって、入金業務、整
理業務などの取引方法の設定、処理した紙葉類Ｐを収納する収納庫（以下、カセットと称
する。）を設定するカセットアサイン、及び紙葉類Ｐの正損レベル設定などが行われる。
この設定の後、供給部１０に供給された複数券種の紙葉類Ｐが一定の間隔で１枚ずつ取り
出されて搬送され、紙葉類判別装置１９によって当該紙葉類Ｐの券種判別、搬送方向判別
、真偽判別及び正損判別並びにヘッダーカード（カード）の判別が行われる。この判別結
果に基づいて当該紙葉類及びヘッダーカードは、集積又は施封される。詳細は後述する。
【００２２】
また、設定した業務の取引終了時には、各業務終了に伴う取引の区切り処理が行われる
。さらに、１日の業務終了などの単位で取引計数を集計し、上位システムＤＢ１００に取
引結果を通知するバランス処理が行われる。この上位システムＤＢ１００には、例えば、
本実施例の紙葉類処理装置１１０が複数台接続され、各紙葉類処理装置１１０の稼動状況
の把握や、各紙葉類処理装置１１０からの処理結果の集計を行うことができる。
【００２３】
入金業務とは、予め合計金額のわかっている複数券種の紙葉類Ｐを、紙葉類処理装置１
１０を用いて、券種毎、搬送方向毎、正損毎に区分し、紙葉類処理装置１１０で計数した
金額が正しいことを確認し、上位システムＤＢ１００に登録する業務である。なお、この
業務によって処理された紙葉類Ｐは、上述した集積装置５７〜６２の各カセット５７Ｄ〜
６２Ｄに集積され、又は施封部４で施封される。
【００２４】
整理業務とは、入金業務において上位システムＤＢ１００に計数を登録しない業務であ
る。取引した券種を計数することが目的ではなく、一度入金業務などで計数を行った券種
をさらに詳細に（例えば、表裏及び正損毎に）集積装置５７〜６２の各カセット５７Ｄ〜
６２Ｄに集積したり、施封を行ったりするために使用する。
【００２５】
カセットアサインとは、集積装置５７〜６２の各カセット５７Ｄ〜６２Ｄに収納する券
種、及び施封部で施封する券種を設定することである。
【００２６】
正損レベル設定とは、再流通可能な正券と再流通不可能な損券に区分する閾値である正
損判別レベルを設定することである。詳細は後述するが、正損判別レベルの値が大きくな
るほど損券枚数が多くなる。
【００２７】
取引の区切り処理とは、各取引終了後、例えば操作表示部５５２に設けられた完了ボタ
ン（図示しない）が押下されたとき、上記集積装置５７〜６２に集積された紙葉類を各カ
セット５７Ｄ〜６２Ｄに収納する処理のことで、紙葉類が収納された各カセットは、操作
員によって空のカセットと交換される。
【００２８】
なお、カセットが、紙葉類で満杯になった場合は、カセットの交換業務が行われる。こ
のカセットの交換時、装置はカセットのロックを解除する。操作者はロック解除されたカ
セットを装置より取り外し、紙葉類をカセットから抜き取り、カセットを元の状態に戻す
。カセット交換終了と共に、解除したロックを再度ロックする。
【００２９】
ここで、紙葉類Ｐが搬送されるときの搬送方向について説明する。紙葉類Ｐは、表（Ｆ
ａｃｅ：表を上にした状態）、裏（Ｂａｃｋ：裏を上にした状態）、正（Ｆｏｗａｒｄ：
紙葉類の表もしくは裏の印刷が正立した状態）、逆（Ｒｅｖｅｒｓｅ：紙葉類の表もしく
は裏の印刷が倒立した状態）の４種類あり、これらを組み合わせた表正ＦＦ、表逆ＦＲ、
裏正ＢＦ、裏逆ＢＲからなる４種類の搬送方向が形成される。
【００３０】
紙葉類処理部１は、紙葉類Ｐを供給する供給部１０と、この供給部１０から供給された
紙葉類Ｐを取出手段としての取出しローラ３０によって１枚ずつ取り出す紙葉類取出部２
００と、この紙葉類取出部２００によって取り出される媒体表面の色からヘッダーカード
（カード）を検知するヘッダーカード検知装置８と、紙葉類取出部２００によって取り出
された紙葉類Ｐを搬送する搬送路１６とを有している。また、この搬送路１６によって搬
送される紙葉類Ｐの搬送スキュー、搬送位置ずれ（搬送スライド）を補正する搬送補正部
２１０が配置されている。さらに、この搬送補正部２１０によって搬送補正された紙葉類
Ｐを１枚ずつ判別する紙葉類判別部１９、及び上記ヘッダーカードの識別符号であるバー
コードを読み取る読取手段としてのバーコードリーダ７０が搬送路１６に沿って配置され
ている。
【００３１】
紙葉類判別部１９による紙葉類の判別結果、ヘッダーカード検知装置８の読取結果、厚
さ検知装置（厚さ検知手段、図示しない）の検知結果及びバーコードリーダ７０の読取結
果は、紙葉類処理装置１１０を制御する主制御部（制御手段）５００に送信される。なお
、厚さ検知装置は、紙葉類判別部１９に組み込まれており、搬送される紙葉類Ｐ又はヘッ
ダーカードからなる媒体の表面に接触しながら回転する接触子を供え、この接触子の変化
を検知することによって媒体の厚さを検知するもので各種の方法が知られており、ここで
はその説明を略す。
【００３２】
主制御部５００は、受信した判別結果に基づいて、後述する搬送制御部、施封制御部４
００を制御する。搬送制御部は、紙葉類の搬送を制御するもので、分岐ゲートＧ１、Ｇ２
、・・・Ｇ８、及び搬送方向を揃えるために反転する反転処理部を制御する。このように
して搬送方向の揃えられた紙葉類Ｐは、操作表示部５５２によって設定された区分方法に
基づいて施封する施封部４で施封され、又は券種毎に集積する集積部５０で集積される。
【００３３】
さらに、紙葉類処理部１はインターフェース５０１を介して操作部５５０に接続されて
いる。以下、紙葉類処理部１の構成を紙葉類Ｐの供給部１０から順に説明する。
【００３４】
上記供給部１０は、４種類の搬送方向が混在する紙葉類Ｐを当接して整位するステージ
１１と、このステージ１１に対して鉛直方向に立設したバックアッププレート１２とで構
成されている。また、このバックアッププレート１２は、バネ１３の付勢力によってステ
ージ１１に沿って左側に移動可能になっている。このようにして供給された紙葉類Ｐは、
バックアッププレート１２によりピックアップローラ５側に圧接される。この状態におい
て、紙葉類Ｐは、取出ローラ３０が回転することにより一定間隔を有して１枚ずつ取り出
されて搬送路１６に繰り出される。
【００３５】
搬送補正部２１０は、搬送ローラ２１１の搬送方向下流に近接して設置されて紙葉類Ｐ
を検知するタイミングセンサＳＣ１、搬送ローラ２１３・２１４及び図示しない搬送ガイ
ドで構成され、搬送される紙葉類Ｐ及びヘッダーカードの搬送状態を補正する。
【００３６】
分岐ゲートＧ１は、例えば、リジェクト券と、処理券とに振り分けるゲートである。リ
ジェクト券とは、紙葉類判別部１９で紙葉類Ｐを判別した結果、紙葉類Ｐが偽券、又は折
れ、破れ及びスキューなどにより判別のできない「判別不能券」と判別された紙葉類をい
う。この判別結果を搬送制御部が受信すると、分岐ゲートＧ１を右側（時計方向）に回動
することにより、当該リジェクト券を排除券集積部８０に集積する。ヘッダーカードは、
リジェクト券として排除券集積部８０に集積される。
【００３７】
また、処理券とは、紙葉類判別部１９で判別された紙葉類Ｐが真券で正券、又は真券で
損券をいう。搬送制御部は、その判別結果を受信すると、分岐ゲートＧ１を左側（反時計
方向）に回動して、当該紙葉類を区分処理する。
【００３８】
反転処理部は、スイッチバック反転部（図示しない）及び表裏反転部９で構成され、紙
葉類Ｐの取り揃える方向により上記スイッチバック反転部及び表裏反転部９の一方、若し
くは両方が使用される。
【００３９】
分岐ゲートＧ２は、表裏反転分岐ゲートである。紙葉類判別部１９で判別された紙葉類
Ｐの搬送方向の判別結果に基づき、表裏反転を必要とする場合に右側（時計方向）に回動
し、紙葉類Ｐを図示矢印Ａ６で示す表裏反転部９を通過させる。また、表裏反転を必要と
しない場合、分岐ゲートＧ２を、左側に回動し、紙葉類Ｐを図示矢印Ａ４で示す方向に搬
送させる。
【００４０】
表裏反転部９は、紙葉類判別部１９の券種判別及び搬送方向判別で判別された結果に基
づき、紙葉類Ｐの搬送方向の表裏を取り揃えるために反転する。例えば搬送方向が裏正（
ＢＦ）の場合、表裏反転部９によって表正ＦＦになる。
【００４１】
分岐ゲートＧ３は、搬送される紙葉類Ｐを搬送路１６から施封部４、又は集積部５０に
分岐する分岐ゲートである。搬送される紙葉類Ｐが主制御部５００によって施封するよう
に指定された券種の場合、搬送制御部は、分岐ゲートＧ３を右側（時計方向）に回動し、
紙葉類Ｐを施封部４が設けられている図示矢印Ａ４０の方向に搬送する。また、それ以外
の券種の紙葉類Ｐは、分岐ゲートＧ３から分岐ゲートＧ４〜Ｇ８を経由して集積装置５７
〜６２に集積するように振り分けられる。
【００４２】
施封部４及び集積部５０には、紙葉類Ｐが搬送される搬送路から分離するために搬送路
の終端に紙葉類Ｐを集積する集積装置として羽根車集積装置が設けられている。
【００４３】
この羽根車集積装置は、例えば、集積装置５７の場合、羽根車５７Ａ、一時集積庫５７
Ｂ、シャッター５７Ｃ、カセット５７Ｄ、及び集積を補佐するプッシャ（図示しない）な
どで構成される。
【００４４】
羽根車５７Ａは、複数の羽根が回転軸の周辺に組み込まれており、搬送されてきた紙葉
類Ｐを羽根と羽根の間で受け取れるように紙葉類Ｐの搬送に同期して回転している。この
羽根車を使用することによって、高速に搬送される紙葉類Ｐの運動エネルギーを吸収し、
かつ紙葉類Ｐを整位しながら一時集積庫５７Ｂに集積する。
【００４５】
一時集積庫５７Ｂは、集積装置５７で使用される一時集積庫５７Ｂと、施封部４の一時
集積庫４２Ｂとでは以降で処理する目的が異なるために形態が異なっている。
【００４６】
集積装置５７で使用される一時集積庫５７Ｂには、シャッター５７Ｃが備えられており
、このシャッター５７Ｃの上に紙葉類Ｐが集積される。そして、このシャッター５７Ｃに
集積された紙葉類Ｐは、例えば満杯になったとき、又は業務終了指示（図示しない）など
があると、シャッター５７Ｃが開き、シャッター５７Ｃ下部に設けられたカセット５７Ｄ
に設けられたバックアッププレート（図示しない）の上に落下する。落下した紙葉類Ｐは
、プッシャーによってカセット５７Ｄに押し込まれる。従って、押し込まれる紙葉類の枚
数が増えるとバックアッププレートは下側に移動する。以上の動作は、集積装置５７〜６
２で共通である。
【００４７】
施封部４は、第１集積部４２、第２集積部４３、搬送部、紙帯部４６、帯送り部４７、
帯巻き部４８で構成される。本実施例では、施封部４が、上記第１集積部４２、第２集積
部４３を有している場合を説明するが、必要に応じてこれら２個の集積部を対にして複数
セット用いてもよい。
【００４８】
第１集積部４２及び第２集積部４３は、共に同様に構成されているため、第１集積部４
２についてその構成を説明し第２集積部４３の説明を省略する。
【００４９】
第１集積部４２には、施封搬送路４０Ａから紙葉類を分岐する分岐ゲートＧ１２、振り
分けられた紙葉類Ｐを搬送する搬送路４０Ｂ、搬送路４０Ｂの終端から送り出された紙葉
類を受け取る羽根車４２Ａ、この羽根車４２Ａによって受け取られた紙葉類Ｐを集積する
一時集積庫４２Ｂ、集積された紙葉類Ｐを押圧するプッシャー（図示しない）が設けられ
ている。以下、施封部４の各部構成について詳細に説明する。
【００５０】
一時集積庫４２Ｂは、搬送される紙葉類Ｐを計数し１００枚毎に区分して集積するバッ
クアッププレート４２Ｃを備えている。
【００５１】
搬送部は、縦搬送路４４Ａ、４４Ｂ、搬送キャリア４４Ｄ、及び横搬送路４４Ｃから構
成される。縦搬送路４４Ａ、４４Ｂは、バックアッププレート４２Ｃ、４３Ｃで受けた１
００枚紙葉類４５を上昇又は下降するためのものである。また、搬送キャリア４４Ｄは、
縦搬送路４４Ａ又は縦搬送路４４Ｂの停止位置でバックアッププレート４２Ｃ又は４３Ｃ
から１００枚紙葉類４５を受け、施封トレイ（図示しない）に渡すために横搬送路４４Ｃ
上を往復移動することができるように構成される。
【００５２】
紙帯部４６は、施封トレイに積載された１００枚紙葉類４５を施封するための紙帯４６
Ａ、この紙帯４６Ａに印刷するための印刷機能と印刷された紙帯４６Ａを送る機能とを備
えた帯送り部４７、１００枚紙葉類４５を帯送り装置から送られた印刷済み紙帯で施封す
る帯巻き部４８、及び施封部４を制御する施封制御部４００とで構成される。
【００５３】
図３は、図２に示す紙葉類処理装置１１０を制御する主制御部５００、紙葉類判別部１
９、搬送制御部２６、施封制御部４００、ヘッダーカード検知装置、バーコードリーダ７
０及び操作部５５０の接続状態を示すブロック図である。
【００５４】
主制御部５００は、操作部５５０の指示に基づいて、搬送される媒体の判別結果を紙葉
類判別部１９から受信し、媒体を区分処理するために、搬送制御部２６、及び施封制御部
４００を制御する。また、媒体判別結果を操作部５５０に送信する。
【００５５】
紙葉類判別部（判別手段）１９は、搬送される媒体の券種判別、搬送方向判別、真偽判
別、正損判別、及び厚さ判別を行う。上記券種判別は、媒体表面の色又は模様又はその組
み合わせ及び形状から紙葉類Ｐの券種又はヘッダーカードを判別する。
【００５６】
本実施例では、ヘッダーカードの表面の色、形状及び厚さを他の紙葉類の色、形状及び
厚さと異なるものを使用し、ヘッダーカードを容易に判別できるようにしてある（詳細は
後述する。）。
【００５７】
上記判別を行うために、複数のセンサ１〜ｎが設けられており、これらセンサ１〜ｎの
出力信号を増幅する増幅回路１〜ｎ、及びこの増幅回路１〜ｎの出力信号を処理する処理
手段から構成される。この処理手段は、Ａ／Ｄ変換するためのＡ／Ｄ変換部２４、このＡ
／Ｄ変換部２４でＡ／Ｄ変換されたデータを論理演算する論理回路部２３、この論理回路
部２３の出力信号から券種判別、真偽判別（本物か偽物か）、正損判別及びヘッダーカー
ド判別が行われる。
【００５８】
紙葉類判別部１９の制御は、全体を制御するＣＰＵ２１、このＣＰＵ２１によってアク
セスされる記憶部２５及びＣＰＵ２１で判別された結果を主制御部５００との間で通信す
るためのＩ／Ｆ部２２で構成される。
【００５９】
搬送制御部２６は、紙葉類判別部１９の判別結果により、搬送される紙葉類Ｐの行き先
を決定して、紙葉類Ｐの搬送制御を行うＣＰＵ２７と、このＣＰＵ２７によってアクセス
される記憶部２９と、主制御部５００とのＩ／Ｆ部２８とで構成される。
【００６０】
主制御部５００は、主制御部５００を制御するＣＰＵ５０４、記憶部５０５、インター
フェース部５０３を備えており、紙葉類判別部１９、搬送制御部２６、及び施封制御部４
００に接続される。また、インターフェース５０１を介して操作表示部５５２と接続され
る。
【００６１】
ＣＰＵ５０４は、操作表示部５５２から操作員によって設定された入金業務、整理業務
などの取引方法の設定、処理した紙葉類Ｐを収納する収納庫を設定するカセットアサイン
の設定、及び紙葉類の判別レベルである正損判別レベル設定などの情報を紙葉類判別部１
９に送信する。また、紙葉類Ｐの判別結果を紙葉類判別部１９から受信し、操作部５５０
に送信する。ここでは、取引の区切り処理が行われた際の取引計数が送信される。
【００６２】
図４は処理ボックスに積載される紙葉類の状態を示す図である。図示した例は２バッチ
の紙葉類群Ｐ１及び紙葉類群Ｐ２が処理ボックスに積載された状態を示しており、最初の
バッチＰ１は、紙葉類Ｐ１１・・・紙葉類Ｐ１ｎ及びヘッダーカードＨ１で構成され、次
のバッチＰ２は、紙葉類Ｐ２１・・・紙葉類群Ｐ２ｎ及びヘッダーカードＨ２で構成され
ており、紙葉類Ｐ１１から先に取り出されるように供給部１０に供給される。ヘッダーカ
ードＨ１には、バーコードＨ１Ｂが印字されている。同様にヘッダーカードＨ２にはバー
コードが印字されている。バーコードＨ１Ｂ及びバーコードＨ２Ｂ（図示しない）はバッ
チＰ１及びバッチＰ２を区別するためのバーコードであるから異なるデータが印字されて
いる。
【００６３】
図５は、図４に示す紙葉類群Ｐ１及び紙葉類群Ｐ２を紙葉類処理部１の供給部１０に供
給した状態を示す。図示したように、紙葉類群Ｐ１の紙葉類Ｐ１１から先に１枚ずつ取り
出される。
【００６４】
ヘッダーカード検知装置８は、発光部８１、受光部８２及び判別部８３を備えている。
例えばヘッダーカードの背景色を緑色に設定した場合には、発行部８１に緑色発光のＬＥ
Ｄで検知エリアを照明し、当該緑色の波長を含む可視領域に感度を有する受光センサを有
する受光部８３でその反射光を受光して電気信号（出力信号）に変換する。判別部８３は
、この電気信号を受信し、所定の判別レベルと比較することによってヘッダーカードを検
知する。発光部８１に緑色発光のＬＥＤを用いた場合を示したが、発光部８１に白色ＬＥ
Ｄを用い、受光部８２にヘッダーカードの背景色に合わせた光学フィルタを用いて構成し
ても同様の結果が得られる。
【００６５】
図６は、ヘッダーカードＨ１及び紙葉類Ｐ１ｎが２枚取りされ図示矢印Ｂ方向に搬送さ
れている状態を示す。この場合には、ヘッダーカード検知装置８ではヘッダーカードＨ１
の背景色が検知できないためにヘッダーカードＨ１が検知されない。
【００６６】
図７は、紙葉類及びヘッダーカードの相対的な厚さを示す図である。ここでは、具体的
な例として、バッチＰ１の紙葉類Ｐ１ｍ、紙葉類Ｐ１ｎ及びヘッダーカードＨ１が２枚取
りされた場合を想定し、その場合にヘッダーカードＨ１を検知する方法を説明する。
【００６７】
初めに、紙葉類及びヘッダーカードの標準厚さを設定する。本実施例では、紙葉類Ｐの
１枚の標準厚さをＴｓとしたとき、ヘッダーカード１枚の標準厚さＨｓを１．５Ｔｓに設
定すると、紙葉類及びヘッダーカードが単独又は２枚取りされた場合にはその厚さが下式
（１）〜（４）に示す値になる。  
紙葉類１枚の標準厚さ：Ｔｓ・・・・・・・・・・・・・・・・・・・・・・（１）
ヘッダーカード１枚の標準厚さ：Ｈｓ＝１．５Ｔｓ・・・・・・・・・・・・（２）
紙葉類２枚の標準厚さ：２Ｔｓ・・・・・・・・・・・・・・・・・・・・・（３）
ヘッダーカード１枚＋紙葉類１枚の標準厚さ：Ｔｓ＋Ｈｓ＝２．５Ｔｓ・・・（４）
次に、厚さ検知装置で検知した厚さｔが下式を満たすとき、上式（１）〜（４）を用い
て紙葉類を分類Ａ（第１分類）、分類Ｂ（第２分類）、分類Ｃ（第３分類）及び分類Ｄ（
第４分類）に区分することができる。  
分類Ａ（紙葉類１枚）      ：Ｔｓ−Δｔ≦ｔ≦Ｔｓ＋Δｔ・・・・・・・・（５）
分類Ｂ（ヘッダーカード１枚）：１．５Ｔｓ−Δｔ≦ｔ≦１．５Ｔｓ＋Δｔ・（６）
分類Ｃ（紙葉類２枚）      ：２Ｔｓ−Δｔ≦ｔ≦２Ｔｓ＋Δｔ・・・・・・（７）
分類Ｄ（ヘッダーカード１枚＋紙葉類１枚）：
２．５Ｔｓ−Δｔ≦ｔ≦２．５Ｔｓ＋Δｔ・・（８）
図８は、図７に示す紙葉類及びヘッダーカードの組み合わせによる厚さの分類を説明す
る図である。このとき上記許容値Δｔは、例えば分類Ａの上限値が分類Ｂの下限値以下に
なるように設定する必要がある。他の分類についても同様である。上述したようにヘッダ
ーカード１枚の標準厚さＨｓを設定し、かつ許容値Δｔを設定することによって搬送され
た紙葉類及びヘッダーカードが２枚取りされた場合であっても分類することができる。
【００６８】
次に、上述した方法に基づいて紙葉類とヘッダーカードが２枚取りされた場合のバッチ
処理を説明する。図５において、バッチＰ１とバッチＰ２を供給部１０に供給し取出しを
開始する。バッチＰ１の紙葉類Ｐ１１から順番に取り出され、紙葉類Ｐ１ｎとヘッダーカ
ードＨ１が２枚取りされた場合、上述したヘッダーカード検知装置８ではヘッダーカード
Ｈ１が検知されず、１枚の紙葉類として紙葉類判別装置１９によって判別される。その判
別結果、当該２枚取りされた紙葉類は、表面が紙葉類であり、裏面がヘッダーカードであ
るため、紙葉類としての券種判別、真偽判別で判別不能券になる。しかしながら厚さ検知
によって所定の範囲の厚さが上述した分類Ｄに区分されるため、ヘッダーカードと判別さ
れる。この判別によってバッチＰ２の紙葉類が継続して取り出され判別される。ヘッダー
カードＨ１と共に搬送された紙葉類Ｐ１ｎはヘッダーカードＨ１と共に排除券集積部８０
に集積される。
【００６９】
このようにしてバッチＰ１及びバッチＰ２共判別処理が終了すると、上述した排除券入
力用登録ＰＣ１３０から操作員によって第３段階である排除券処理がバッチＰ１、バッチ
Ｐ２共に行われる。なお、この厚さを検知する検知エリアは、処理する紙葉類の特性を調
査し、印刷インクなどで紙葉類の厚さ変動の少ない部分を用いることにより、図８に示す
許容値Δｔを大きい値に設定することができ、好適である。
【００７０】
図６に示す２枚取りの状態の場合は、上記ヘッダーカードＨ１のバーコードＨ１Ｂはバ
ーコードリーダ７０によって読み取ることができないが、バッチＰ１のヘッダーカードＨ
１と、バッチＰ２の紙葉類Ｐ２１が２枚取りされた場合には、バーコードリーダ７０によ
ってバーコードＨ１Ｂが認識される。この何れの場合であってもヘッダーカードＨ１がヘ
ッダーカードとして判別される。
【００７１】
上述したように、本実施例によれば、ヘッダーカードと紙葉類を２枚取りした場合であ
ってもヘッダーカードを正しく認識できるために、ヘッダーカードによって区分された複
数のバッチ処理を行うことができる。
【図面の簡単な説明】
【００７２】
【図１】本発明の実施例によるヘッダーカードによるバッチ処理可能な紙葉類処理装置を備えた紙葉類処理システム図。
【図２】図１に示す紙葉類処理装置の概略構成図。
【図３】図２に示す紙葉類処理装置を制御する主制御部、紙葉類判別部、搬送制御部及び操作部の接続状態を示すブロック図。
【図４】処理ボックスに積載される紙葉類の状態を示す図である。
【図５】図４に示す紙葉類群Ｐ１及び紙葉類群Ｐ２を紙葉類処理部１の供給部１０に供給した状態を示す。
【図６】ヘッダーカード及び紙葉類が２枚取りされた状態を示す図。
【図７】紙葉類及びヘッダーカードの相対的な厚さを示す図。
【図８】図７に示す紙葉類及びヘッダーカードの組み合わせによる厚さの分類を説明する図。
【符号の説明】
【００７３】
Ｐ、Ｐ１１〜Ｐ１ｎ、Ｐ２１  紙葉類
Ｈ１、Ｈ２  ヘッダーカード
Ｇ１〜Ｇ８  分岐ゲート
Ｇ１２〜Ｇ１４  分岐ゲート
１  紙葉類処理部
１０  供給部
１９  紙葉類判別装置
４  施封部
４２、４３  施封装置
４５  １００枚紙葉類
４２Ｅ  横搬送路
４２Ｂ  一時集積庫
４２Ｆ  搬送キャリア
５０  集積部
５７〜６２  集積装置
７０  バーコードリーダ
８  ヘッダーカード検知装置
８０  排除券集積部
４００  施封制御部
５００  主制御部
５０２  操作表示部
【図１】
2007226592.tif 000003
【図２】
2007226592.tif 000004
【図３】
2007226592.tif 000005
【図４】
2007226592.tif 000006
【図５】
2007226592.tif 000007
【図６】
2007226592.tif 000008
【図７】
2007226592.tif 000009
【図８】
2007226592.tif 000010